(57)【要約】【課題】正座したとき、膝、脚部を収めるスペースを備え、子供から高齢者まで使い勝手よく使用できる正座用洗面化粧台を提供する。【解決手段】天板１の略中央部に該天板１下にボウル部２１が膨出するように洗面ボウル２を設け、正座して使用する洗面化粧台であって、上記洗面ボウル２の左右いずれかの側方の天板上に収納部３を備え、上記天板１の正面奥側に鏡４を立設するとともに、上記収納部３の洗面ボウル２に臨む側の面にも鏡５が取着され、上記洗面ボウル２下方の空間が正座脚部収容部Ｓとされた正座用洗面化粧台Ａ。【選択図】図１
2007330563.tif 000002
【特許請求の範囲】
【請求項１】
天板の略中央部に該天板下にボウル部が膨出するように洗面ボウルを設け、正座して使用する洗面化粧台であって、上記洗面ボウルの左右いずれかの側方の天板上に収納部を備え、上記天板の正面奥側に鏡を立設するとともに、上記収納部の洗面ボウルに臨む側の面にも鏡が取着され、上記洗面ボウル下方の空間が正座脚部収容部とされた正座用洗面化粧台。
【請求項２】
上記洗面ボウルのボウル部が手前側から排水口に向けて徐々に深くなる傾斜面を有するとともに、該ボウル部の下方が正座脚部収容部とされた請求項１に記載の正座用洗面化粧台。
【請求項３】
上記天板の床面からの高さが３０〜６０ｃｍである請求項１に記載の正座用洗面化粧台。
【発明の詳細な説明】
【技術分野】
【０００１】
本発明は、洗面化粧台に関する。さらに詳しくは、正座して洗面、化粧等を行うことができる正座用洗面化粧台に関する。
【背景技術】
【０００２】
従来から車椅子に座った状態で、あるいは正座して洗面、化粧等を行うことができる洗面化粧台が知られている。例えば、下記特許文献１には、中間部に膝、足の挿入用空間を有し、必要に応じて両側に引出しを備える和机の天板上に該天板下にボウル部が膨出するように洗面器を設け、該洗面器は給水栓を備えた洗面装置が開示されている。そして、和室の利用性を高め、和室の使い勝手を向上させるとともに、和室内のスペースを無理なく利用して設置することができるとの効果が記載されている。
【特許文献１】特許  第２７５８６９１号公報（第１〜３頁、第１図、第２図、第３図）
【発明の開示】
【発明が解決しようとする課題】
【０００３】
しかしながら、上記従来技術は、特許文献１の第１図に示されているように、単に和机に洗面ボウルと給水栓とを設けただけのものであり、使い勝手は必ずしもよいとはいえない。
【０００４】
本発明はこのような問題を解決して、正座したとき、膝、脚部を収めるスペースを備え、子供から高齢者まで使い勝手よく使用できる正座用洗面化粧台を提供することを、その課題とする。
【課題を解決するための手段】
【０００５】
上記課題を解決するために、本発明においては、つぎのような技術的手段を講じている。すなわち、請求項１に記載の発明によれば、天板の略中央部に該天板下にボウル部が膨出するように洗面ボウルを設け、正座して使用する洗面化粧台であって、上記洗面ボウルの左右いずれかの側方の天板上に収納部を備え、上記天板の正面奥側に鏡を立設するとともに、上記収納部の洗面ボウルに臨む側の面にも鏡が取着され、上記洗面ボウル下方の空間が正座脚部収容部とされた正座用洗面化粧台が提供される。
【０００６】
請求項２に記載の正座用洗面化粧台は、請求項１に記載の発明に加えて、上記洗面ボウルのボウル部が手前側から排水口に向けて徐々に深くなる傾斜面を有するとともに、該ボウル部の下方が正座脚部収容部とされる。
【０００７】
請求項３に記載の正座用洗面化粧台は、請求項１に記載の発明に加えて、上記天板の床面からの高さが３０〜６０ｃｍとされる。
【発明の効果】
【０００８】
請求項１に記載の発明にかかる正座用洗面化粧台は上記のとおりであり、天板の略中央部に設けられた洗面ボウルの下方を正座脚部収容部としているため、例えば和室で、子供から高齢者まで座ったまま、洗面、洗顔、化粧等を行うことが
できる。また、上記洗面ボウルの左右いずれかの側方の天板上に収納部を備えているため、洗面、化粧用等の小物類を目に触れることなく見栄えよく収納することができる。さらに、上記天板の正面奥側に鏡を立設するとともに、上記収納部の洗面ボウルに臨む側の面にも鏡を取り付け、二面鏡として、顔の正面と横とを映して容易に洗面、化粧等をすることができる。
【０００９】
請求項２に記載の正座用洗面化粧台の構造は上記のとおりであり、請求項１の正座用洗面化粧台の有する効果に加え、上記洗面ボウルのボウル部が手前側から排水口に向けて徐々に深くなる傾斜面を有するとともに、該ボウル部の下方が正座脚部収容部とされているため、使用者は上記傾斜面の裏面に膝や脚部を接触することなく入れて、容易に正座用洗面化粧台を使用することができる。
【００１０】
請求項３に記載の正座用洗面化粧台の構造は上記のとおりであり、請求項１の正座用洗面化粧台の有する効果に加え、上記天板の床面からの高さが３０〜６０ｃｍとされているため、子供から高齢者まで座ったまま使用できるとともに、膝が悪く、正座し辛い高齢者が座椅子や腰掛けに座ったままでも容易に洗面、化粧等をすることができる。
【発明を実施するための最良の形態】
【００１１】
以下、本発明の実施形態について図面を参照して詳細に説明する。図１は本発明にかかる正座用洗面化粧台Ａを示す斜視図である。図１に示すように、上記正座用洗面化粧台Ａは、天板１の略中央部に天板１の下方にボウル部２１が膨出するように洗面ボウル２が設けられ、洗面ボウル２の右側方天板１１上には収納部３が設けられている。上記天板１の正面奥側には鏡４が枠体６にはめ込まれて立設されるとともに、上記収納部３の洗面ボウル２に臨む側の面には鏡５が取着されている。上記天板１の床面からの高さｈは３０〜６０ｃｍとされ、上記洗面ボウル２の下方は使用者が正座したときの正座脚部収容部Ｓとされている。
【００１２】
図２は、図１におけるＸ−Ｘ線に沿う断面図である。図２に示されているように、上記洗面ボウル２のボウル部２１は手前側から排水口７に向けて徐々に深くなる傾斜面を有し、使用者が脚部を正座脚部収容部Ｓに収め易いようにされている。このようにして、使用者は上記傾斜面の裏面に膝や脚部を接触することなく入れて正座し、容易に正座用洗面化粧台Ａを使用することができる。
【００１３】
また、正座をし辛い高齢者等が座椅子や腰掛けに座ったままで正座用洗面化粧台Ａを使用してもよく、さらに和室に限られず、洋室、浴室等、居住空間内であればいずれの場所でも使用可能である。なお、上記実施形態は、天板１の略中央部に設けられた洗面ボウル２の右側方天板１１上に収納部３を設けた場合について説明したが、洗面ボウル２の左側方天板に収納部３を設けてもよい。このように、本発明の正座用洗面化粧台は設計変更自在であり、本発明の特許請求の範囲を逸脱しない限りいずれも本発明の技術的範囲に含まれる。
【図面の簡単な説明】
【００１４】
【図１】本発明にかかる正座用洗面化粧台を示す斜視図である。
【図２】図１におけるＸ−Ｘ線に沿う断面図である。
【符号の説明】
【００１５】
Ａ          本発明にかかる正座用洗面化粧台
Ｓ          正座脚部収容部
１          天板
１１        右側方天板
２          洗面ボウル
２１        ボウル部
３          収納部
４          鏡
５          鏡
６          枠体
７          排水口
【図１】
2007330563.tif 000003
【図２】
2007330563.tif 000004